(57)【要約】【課題】歯ブラシ立て１内部の通気性を良好にし、且つ歯ブラシ柄部との当接面積を最小とすることで歯ブラシ柄部及び歯ブラシ立て１の内部の発黴を防止する。【解決手段】ケース本体２の正面に、歯ブラシ支持棒１５、１６１、１６２、１７１、１７２、１８１、１８２、１９１、１９２が列状に設けられている。隣合う歯ブラシ支持棒列間は歯ブラシ柄部配設部となし歯ブラシ固定棒２５が設けられている。蓋体３にもケース本体２を組み付けた場合に対向する位置に歯ブラシ固定棒２６が設けられている。ケース本体２と蓋体３には組み付けると歯ブラシ差し込み孔４０１、４０２、４０３、４０４を形成するＶ状切込み溝１１１、１１２、１１３、１１４と、Ｖ状切込み溝２４０、２４１、２４２、２４３を夫々設けている。開口部５の側面には側壁片１２、２１が設けられている。【選択図】図７
2015205184.tif 000002
【特許請求の範囲】
【請求項１】
正面が開放されたケース本体と、該ケース本体の正面を覆ってケース本体に組み付け可能な蓋体とよりなり、
前記ケース本体にケース本体の正面を覆って蓋体を組み付けると正背面から視て略中央に開口部を開設し、且つ内側に複数本の歯ブラシの柄部が互いに当接することなく収納可能な広さの中空部を有する中空ドーナッツ形歯ブラシ立てであって、
前記開口部の側面には前記中空部に外気が出入可能な通気孔が開設され、
上面には歯ブラシ差し込み孔が開設され、
下面には排水孔が設けられ、
前記ケース本体の正面には、歯ブラシ支持棒と歯ブラシ固定棒が設けられ、
前記歯ブラシ支持棒は、前記ケース本体に前記蓋体を組み付けると、歯ブラシ支持棒先端が前記蓋体の背面近傍に位置するように正面方に突出すると共に、略上下方向に列状に配設され、歯ブラシ柄部支持棒の隣り合う列間は歯ブラシ柄部を配設可能な距離を有して離隔されて歯ブラシ柄部配設部となし、
前記歯ブラシ固定棒は前記歯ブラシ柄部配設部に於いて、先端が歯ブラシ柄部表面に当接可能にケース本体表面から僅かばかり突出して設けられ、
前記蓋体の背面には、前記ケース本体に前記蓋体を組み付けると前記ケース本体表面に設けられた歯ブラシ固定棒と対向する位置に、蓋体背面から僅かばかり突出する歯ブラシ固定棒が設けられたことを特徴とする中空ドーナッツ形歯ブラシ立て。
【請求項２】
正面が開放されたケース本体と、該ケース本体の正面を覆ってケース本体に組み付け可能な蓋体とよりなり、
前記ケース本体にケース本体の正面を覆って蓋体を組み付けると正背面から視て略中央に開口部を開設し、且つ内側に複数本の歯ブラシの柄部が互いに当接することなく収納可能な広さの中空部を有する中空ドーナッツ形歯ブラシ立てであって、
前記開口部の側面には前記中空部に外気が出入可能な通気孔が開設され、
上面には歯ブラシ差し込み孔が開設され、
下面には排水孔が設けられ、
ケース本体の正面には隣り合う歯ブラシ差し込み孔間から前記排水孔に亘り仕切壁が設けられ、
ケース本体の正面に蓋体を組み付けると、前記通気孔と前記歯ブラシ差し込み孔及び前記排水孔を出入する空気が前記中空部を前記仕切壁で遮られることなく流通可能に、前記仕切壁の正面端面と蓋体の背面との間に空間部が形成されたことを特徴とする中空ドーナッツ形歯ブラシ立て。
【発明の詳細な説明】
【技術分野】
【０００１】  本願発明は中空ドーナッツ形歯ブラシ立てに関し、詳しくは同時に収納保管する複数本の歯ブラシが互いに接触することなく、歯ブラシ柄部が収納保管される中空部の通気性が極めて良好で、軽量な中空ドーナッツ形歯ブラシ立てに関する。
【背景技術】
【０００２】  この種の歯ブラシ立てとしては正面側壁面と背面側壁面との対向円弧状部を連設する所定幅を有する円弧状曲面と、正面側壁面と背面側壁面との対向する弦状部部分間に連設された平視矩形状底面とにより囲まれた中空本体内に、底面から上面円弧状曲面方向にかけて放射状に歯ブラシ保持筒を配設し、該歯ブラシ保持筒の上端を円弧状曲面に開設して歯ブラシ挿入口としてものが提案されている（例えば、特許文献１参照）。
特許文献１に開示の歯ブラシ立てであると、中空本体内に複数の歯ブラシ保持筒を配設するため、歯ブラシ挿入口につき１本ずつ挿入した歯ブラシは柄部も毛部も互いに当接することなく収納保管される。そのため、インフルエンザ等の感染症の家族がいても歯ブラシが非接触なので衛生的であるという長所はある。
しかし、歯ブラシ保持筒は中空本体の構成の一部である底面を共用し、且つ非通気性の板状材で４側壁面を連設して成るので、歯ブラシ保持筒内の空気は篭り中空本体内に通気性は無く、歯ブラシ柄部に付着した水分は、夫々の歯ブラシ保持筒の底部に貯溜する。歯ブラシ保持筒底部に貯溜した水分が空気中の浮遊埃や浮遊カビ等と相俟って歯ブラシ柄部や歯ブラシ保持筒内壁面への発カビの原因となり、不衛生である。又、歯ブラシ保持筒内の清浄作業は中空本体内から歯ブラシ保持筒を抜き取るか、歯ブラシ挿入口から洗浄用ブラシ等を洗浄剤と共に入れて洗浄する等の方法を採らなければならず、極めて面倒であるという問題点があった。
中空箱状ケースの上面短手方向に２列の貫通孔を長手方向に沿って穿設し、該貫通孔の下端縁の一部には中空箱状ケースの内部に内傾して下方の延びるガイド片を配設し、底部には歯ブラシ柄部端部を配置可能な凹部が底部の短辺を２分する位置に於いて長辺に沿って設けられた歯ブラシ立てが提案されている（例えば、特許文献２参照）。
特許文献２に開示の歯ブラシ立ては、歯ブラシ柄部を貫通孔に設けたガイド片に沿って内側方に傾斜させて収納保管し、各列の対となる貫通孔に差し込んだ２本の歯ブラシの柄部下端は同じ凹部に配設するように構成されているため、各貫通孔に差し込んだ歯ブラシは中空箱状ケース内で接触することはない。しかし、歯ブラシ立ての空気の出入口は唯一貫通孔のみであるため、貫通孔から入り込んだ空気は貫通孔から排気されなければならず中空部の通気性が悪く、また、歯ブラシ柄部の一部範囲がガイド片と当接して収納保管されているので、毛から流れ落ちた水や柄部に付着していた水がガイド片を伝って歯ブラシの柄部から凹部へと流下し貯溜し、通気性及び通水性の悪さより凹部には容易に発黴し、また、凹部のみならずガイド片にも発黴し、ガイド片と凹部には埃と黴が相俟って黒化し、洗浄作業をする必要性が生じるという問題点があった。特に、対となる貫通孔に差し込んだ２本の歯ブラシの柄部下端は同一凹部で支持する構成であるため、一つの凹部に溜まる水の量が多くなる。
ケース内部を容易に洗浄可能なものとして、底部に歯ブラシ柄部を受けることが可能な受け凹部を設けたケース本体に、歯ブラシ差し込み孔が穿設された蓋体を着脱自在に嵌合してなる歯ブラシ立てが提案されている（例えば、特許文献３参照）。
特許文献３に開示の歯ブラシ立てであると洗面台に設置して使用するため、洗面所に設置スペースを必要とし洗面所のスペースを有効利用できないという欠点があった。又、中空部への空気の出入口が歯ブラシ差し込み孔と歯磨きチューブ用の差し込み孔であり、中空部の下部に滞留する空気の逃げ道、すなわち排気孔がなく、そのため空気の流通が悪く、歯ブラシ立ての内壁面、特に底面に発黴しやすいという問題点があった。
【先行技術文献】
【特許文献】
【０００３】
【特許文献１】特開平１０−３３７２１９号公報
【特許文献２】特開２００９−２３３００９号公報
【特許文献３】実開平７−１４９８９号公報
【発明の概要】
【発明が解決しようとする課題】
【０００４】  発明が解決しようとする課題は、中空部の通気性が悪しく中空部に空気が篭り歯ブラシ立て内面や歯ブラシ柄部の水分が蒸散しにくく、そのため発黴しやすい点、設置するためのスペースを要する点、及び外観に意匠的な美観を施すことが困難である点である。
【課題を解決するための手段】
【０００５】  上記目的を達成するために本願発明のうち請求項１に記載の発明は、正面が開放されたケース本体と、該ケース本体の正面を覆ってケース本体に組み付け可能な蓋体とよりなり、ケース本体にケース本体の正面を覆って蓋体を組み付けると正背面から視て略中央に開口部を開設し、且つ内側に複数本の歯ブラシの柄部が互いに当接することなく収納可能な広さの中空部を有する中空ドーナッツ形歯ブラシ立てであって、前記開口部の側面には前記中空部に外気が出入可能な通気孔が開設され、上面には歯ブラシ差し込み孔が開設され、下面には排水孔が設けられ、ケース本体の正面には、歯ブラシ支持棒と歯ブラシ固定棒が設けられ、前記歯ブラシ支持棒は、前記ケース本体に前記蓋体を組み付けると、歯ブラシ支持棒先端が前記蓋体の背面近傍に位置するように正面方に突出すると共に、略上下方向に列状に配設され、歯ブラシ柄部支持棒の隣り合う列間は歯ブラシ柄部を配設可能な距離を有して離隔されて歯ブラシ柄部配設部となし、前記歯ブラシ固定棒は前記歯ブラシ柄部配設部に於いて、先端が歯ブラシ柄部表面に当接可能にケース本体表面から僅かばかり突出して設けられ、前記蓋体の背面には、前記ケース本体に前記蓋体を組み付けると前記ケース本体表面に設けられた歯ブラシ固定棒と対向する位置に、蓋体背面から僅かばかり突出する歯ブラシ固定棒が設けられたことを特徴とする。
請求項２に記載の発明は、正面が開放されたケース本体と、該ケース本体の正面を覆ってケース本体に組み付け可能な蓋体とよりなり、前記ケース本体にケース本体の正面を覆って蓋体を組み付けると正背面から視て略中央に開口部を開設し、且つ内側に複数本の歯ブラシの柄部が互いに当接することなく収納可能な広さの中空部を有する中空ドーナッツ形歯ブラシ立てであって、前記開口部の側面には前記中空部に外気が出入可能な通気孔が開設され、上面には歯ブラシ差し込み孔が開設され、下面には排水孔が設けられ、ケース本体の正面には隣り合う歯ブラシ差し込み孔間から前記排水孔に亘り仕切壁が設けられ、ケース本体の正面に蓋体を組み付けると、前記通気孔と前記歯ブラシ差し込み孔及び前記排水孔を出入する空気が前記仕切壁で遮られることがなく前記中空部を流通可能に、前記仕切壁の正面端面と蓋体の背面との間に空間部が形成されたことを特徴とする。
【発明の効果】
【０００６】  本願発明は、各歯ブラシ柄部支持棒列間を歯ブラシ柄部配設部と成すことで、歯ブラシの柄部が傾倒すると歯ブラシ柄部は歯ブラシ柄部支持棒側面と点接触し、歯ブラシ柄部と空気との接触面積が大きく、歯ブラシ柄部の乾燥時間を短縮させて衛生的である。
歯ブラシ柄部支持棒列を歯ブラシ柄部配設部の境界としているため、空気の流れが列状歯ブラシ支持棒間で遮断されることがなく、自由に通過し、同時に複数本の歯ブラシを収納保管中に他の歯ブラシ柄部と接触することがないという効果がある。
歯ブラシ柄部配設部の境界を具備する歯ブラシ立てを軽量化し、洗面台への設置式ではなく、壁面への取り付け式の歯ブラシ立てを提供でき、洗面所のスペースの有効利用を図り得るという効果がある。
歯ブラシ立ては中空ドーナッツ形に形成され、中央に設けた開口部の側面に通気孔を開設することで、空気の出入りを良好にし、結果的に中空部と外気の空気交換が円滑になされて中空部がむれることなく乾燥状態の保持に寄与するという効果がある。
歯ブラシの植毛部分等から流下し、流下途中で乾燥しなかった水は排水孔から排水され、又、中空部内に直線上で離隔配設された支持棒を仕切りとしての作用をなさせているので、中央の開口部側面に穿設した通気孔を出入する空気の流通を妨げる構成要素が中空部には一切存在しないため、ケース内に収納保管していても発黴しないという効果がある。
請求項２に記載の発明は、仕切壁の正面端面と蓋体背面との間に空間が存在しているので、空気が開口部側面の通気孔や、歯ブラシ差し込み孔や排水孔から中空部を流通し出入するので、空気の移動により歯ブラシの柄部や中空ドーナッツ形歯ブラシ立ての内部が迅速に乾燥し、中空ドーナッツ形歯ブラシ立ての内部の湿気が外部へ放出され、発黴が生じにくいという効果がある。
歯ブラシ柄部を収納配設する中空部は棒状体、或は仕切り壁で分割され、１本毎の歯ブラシ柄部配設部を形成しているので、空気の流通性を有し、且つ歯ブラシの柄部が互いに当接しないで乾燥しやすく衛生的で、歯ブラシの出し入れがスムーズに行うことができるという効果がある。
【図面の簡単な説明】
【０００７】
【図１】中空ドーナッツ形歯ブラシ立ての正面図である。（実施例１）
【図２】中空ドーナッツ形歯ブラシ立ての右側面図である。（実施例１）
【図３】ケース本体の正面図である。（実施例１）
【図４】蓋体の裏面図である。（実施例１）
【図５】図１のＡ−Ａ線断面図である。（実施例１）
【図６】図１のＢ−Ｂ線断面図である。（実施例１）
【図７】中空ドーナッツ形歯ブラシ立ての中空部に歯ブラシを収納した状態を示す蓋体を取り除いたケース本体の正面説明図である。（実施例１）
【図８】図５の中空部に歯ブラシを収納した状態を示す説明図である。（実施例１）
【図９】使用状態を示す斜視図である。（実施例１）
【図１０】中空ドーナッツ形歯ブラシ立ての正面図である。（実施例２）
【図１１】中空ドーナッツ形歯ブラシ立ての背面図である。（実施例２）
【図１２】中空ドーナッツ形歯ブラシ立ての平面図である。（実施例２）
【図１３】中空ドーナッツ形歯ブラシ立ての底面図である。（実施例２）
【図１４】中空ドーナッツ形歯ブラシ立ての右側面図である。（実施例２）
【図１５】図１０のＣ−Ｃ線断面図である。（実施例２）
【図１６】図１０のＤ−Ｄ線断面図である。（実施例２）
【図１７】図１４のＥ−Ｅ線断面図である。（実施例２）
【図１８】図１４のＦ−Ｆ線断面図である。（実施例２）
【図１９】使用状態を示す斜視説明図である。（実施例２）
【発明を実施するための形態】
【０００８】  ケース本体の表面から正面方に突出する歯ブラシ支持棒の各列の間を歯ブラシ柄部配設部とすることで、歯ブラシ柄部の表面は歯ブラシ柄部支持棒周面と点接触し、通気孔や歯ブラシ差し込み孔から入り込んだ空気の流れで歯ブラシ柄部支持棒の表面に付着した水を素早く乾燥させ、歯ブラシ柄部やケース本体内面の発黴を抑制することを実現した。
【実施例１】
【０００９】  図１〜図９に基いて実施例１について説明する。
中空ドーナッツ形歯ブラシ立て１は耐水性、耐薬品性及び耐腐食性を有する材料、例えば合成樹脂を材料とし、ケース本体２と蓋体３との周縁を着脱自在に嵌合することで、上面に歯ブラシ差し込み孔４０１、４０２、４０３、４０４を有し、正背視の中央に開口部５を有する全体として中空ドーナッツ形状に形成されている。【００１０】  先ず、ケース本体２について説明する。図３及び図７に示すように、ケース本体２の中心には正八角形の開口６を開設している。ケース本体２は開口６の口縁の端面と外周縁の端面が正面方を向き、開口６の口縁から外周端縁に亘り、断面視が円弧状に彎曲している。ケース本体２の正面には、開口６の中心と開口口縁の夫々の頂部を結ぶ線に沿って開口６の頂点から外周端縁に亘り正面方に突き出す突条７１、７２、７３、７４、７５、７６、７７、７８が延設されている。ケース本体２は、各突条７１、７２、７３、７４、７５、７６、７７、７８と、開口６の口縁の対応する辺と、外周縁とで囲まれる８個の凹部８１、８２、８３、８４、８５、８６、８７、８８を有して成る。ケース本体２の外周縁のうち凹部８２、８６には、後述する蓋体３の係止片９、９を受けるための係合受け部１０、１０を対向する位置に凹設している。【００１１】  外周縁のうち係合受け部１０、１０より上側には、突条７１、７８、７７、７６の位置が最も深い溝底となるＶ状切込み溝１１１、１１２、１１３、１１４を設けている。開口６の口縁のうち対向する位置に、正面方に連続的に延びる側壁片１２、１２を設けている。Ｖ状切込み溝１１１、１１２、１１３、１１４及び係合受け部１０、１０を除くケース本体２の外周端面と、側壁片１２、１２の外端面は同一面上に配置されている。凹部８１には吸盤取り付け孔１３１が、凹部８４には吸盤取り付け孔１３２が、凹部８７には吸盤取り付け孔１３３が夫々穿設されている。吸盤取り付け孔１３２は、開口６の中心と凹部８４を囲む正八角形開口６の対応する辺の長さを２等分する位置とを結ぶ直線上に吸盤取り付け孔１３２の中心が位置するように配設されている。吸盤取り付け孔１３１、１３２、１３３には、夫々吸盤１４、１４、１４が夫々取り付けられている。【００１２】  凹部８４の表面には、開口部５の中心から突条７３と突条７４の外端縁を結ぶ直線への垂線上に、細径の同径軸状の歯ブラシ支持棒１５が正面方に突出して設けられている。凹部８８には、開口部５の中心から突条７７と突条７８の外端縁を結ぶ直線への垂線を中心線とし、歯ブラシ支持棒１６１と歯ブラシ支持棒１６２が対設されている。また、凹部８８には、歯ブラシ支持棒１６１と歯ブラシ支持棒１５を結ぶ直線上に歯ブラシ支持棒１７１が設けられ、歯ブラシ支持棒１６２と歯ブラシ支持棒１５を結ぶ直線上に歯ブラシ支持棒１７２が設けられている。歯ブラシ支持棒１６１、１７１、１５の列から一側方に所定距離離隔した位置に歯ブラシ支持棒１８１、１８１、１８１が列状に配設されている。歯ブラシ支持棒１８１、１８１、１８１の列から一側方に所定距離を有して離隔した位置に歯ブラシ支持棒１９１、１９１、１９１が列状に配設されている。歯ブラシ支持棒１６２、１７２、１５の列から他側方に所定距離離隔した位置に、歯ブラシ支持棒１８２、１８２、１８２が列状に配設されている。歯ブラシ支持棒１８２、１８２、１８２の列から一側方に所定距離離隔した位置に、歯ブラシ支持棒１９２、１９２、１９２が列状に配設されている。歯ブラシ支持棒１６１、１７１、１５の列と歯ブラシ支持棒１８１、１８１、１８１の列との間に設けられた歯ブラシ柄部配設部はＶ状切込み溝１１３に開口する。歯ブラシ支持棒１８１、１８１、１８１の列と歯ブラシ支持棒１９１、１９１、１９１の列との間に設けられた歯ブラシ柄部配設部はＶ状切込み溝１１４に開口する。歯ブラシ支持棒１６２、１７２、１５の列と歯ブラシ支持棒１８２、１８２、１８２の列との間に設けられた歯ブラシ柄部配設部はＶ状切込み溝１１２に開口する。歯ブラシ支持棒１８２、１８２、１８２の列と歯ブラシ支持棒１９２、１９２、１９２の列との間に設けられた歯ブラシ柄部配設部はＶ状切込み溝１１１に開口する。歯ブラシ支持棒１６１、１６２、１７１、１７２、１８１、１８２、１９１、１９２は、ケース本体２の正面に蓋体３を組み付けると先端が蓋体３の裏面近傍に位置するように、ケース本体２の外周端面よりも外部に突き出す長さに設定されている。歯ブラシ支持棒１５、１６１、１６２、１７１、１７２、１８１、１８２、１９１、１９２は同じ細径の同軸状の細棒状に形成されている。ケース本体２の表面のうち歯ブラシ柄部配設部には、ケース本体２の表面から僅かばかり突出する細径で同軸状の歯ブラシ固定棒２５が配設されている。【００１３】  蓋体３について説明する。図４に示すように、蓋体３の中央には正八角形開口２０を開設している。正八角形開口２０はケース本体２の開口６と正背視同一形状に形成されている。蓋体３は、開口２０の口縁端面と蓋体３の外周縁端面が背面方を向くように、正面方に膨出する断面円弧状に形成されている。開口２０の口縁のうち対向する位置に、正面方に連続的に延びる側壁片２１、２１を設けている。側壁片２１、２１の外端面と蓋体３の外周縁端面は同一面上に位置するように形成されている。開口２０の中心と、開口２０の頂点を結ぶ直線に沿って、蓋体３の背面には背面方に突き出す突条２２０、２２１、２２２、２２３、２２４、２２５、２２６、２２７が設けられている。【００１４】    蓋体３の外周縁と、突条２２０、２２１、２２２、２２３、２２４、２２５、２２６、２２７と開口２０の口縁の対応辺とで囲まれる部分は、蓋体３の背面から見て正面方に窪む凹部２３０、２３１、２３２、２３３、２３４、２３５、２３６、２３７に形成されている。凹部２３１、２３５の外周縁には係止片９、９が対向する位置に延設されている。係止片９、９は、ケース本体２の係合受け部１０、１０と係合し、ケース本体２に蓋体３を取り付け可能にしている。蓋体３のうち係止片９と対向する係止片９との上側範囲にはＶ状切込み溝２４０、２４１、２４２、２４３を設けている。Ｖ状切込み溝２４０は、凸条２２５に沿う位置が最も溝深となり、開口溝幅がＶ状切込み溝１１４と同じ長さに設定されている。Ｖ状切込み溝２４１は、凸条２２６に沿う位置が最も溝深となり、開口溝幅がＶ状切込み溝１１３と同じ長さに設定されている。Ｖ状切込み溝２４２は、凸条２２７に沿う位置が最も溝深となり、開口溝幅がＶ状切込み溝１１２と同じ長さに設定されている。Ｖ状切込み溝２４３は、凸条２２０に沿う位置が最も溝深となり、開口溝幅がＶ状切込み溝１１１と同じ長さに設定されている。蓋体３の外周縁には内方向に窪む半円形状の溝を凹設している。蓋体３の裏面には、ケース本体２の表面に蓋体３を取り付けた場合に歯ブラシ固定棒２５と対向する位置に、歯ブラシ固定棒２６が設けられている。歯ブラシ固定棒２５、２６は略同径の細径同軸状の細棒に形成され、先端は平坦面に形成されている。【００１５】  ケース本体２の係合受け部１０、１０に蓋体３の係止片９、９を係合し、凹部８７の外周端面に凹部２３６の外周端面を、凹部８８の外周端面に凹部２３７の外周端面を、凹部８１の外周端面に凹部２３０の外周端面を夫々嵌合すると共に、ケース本体２の開口６の側壁片１２、１２と、蓋体３の開口２０の側壁片２１、２１の外端面を接合してケース本体２に蓋体３を取り付け、中空ドーナッツ形歯ブラシ立て１を組み立てる。
ケース本体２と蓋体３の嵌合部には、Ｖ状切込み溝１１１とＶ状切込み溝２４３で形成される歯ブラシ差し込み孔４０１を、Ｖ状切込み溝１１２とＶ状切込み溝２４２で形成される歯ブラシ差し込み孔４０２を、Ｖ状切込み溝１１３とＶ状切込み溝２４１で形成される歯ブラシ差し込み孔４０３を、Ｖ状切込み溝１１４とＶ状切込み溝２４０で形成される歯ブラシ差し込み孔４０４を開設している。また、ケース本体２と蓋体３との嵌合部には半円形状の溝とケース本体２の外周縁とで囲まれる排水孔２７を設けている。このように、歯ブラシ差し込み孔４０１、４０２、４０３、４０４は、ケース本体２の外周縁にＶ状切込み溝１１１、１１２、１１３、１１４を、蓋体３の外周縁にＶ状切込み溝２４０、２４１、２４２、２４３を夫々凹設し、対応する溝を夫々対向させてケース本体２の正面に蓋体３を取り付けることで、上面に開設されるものである。
中空ドーナッツ形歯ブラシ立て１の開口部５の側面には、側壁片１２と側壁片２１の接合部分以外が開口し、中空ドーナッツ形歯ブラシ立て１の中空部に外気が出入可能な通気孔が開設される。【００１６】  次に作用について図３、図７、図８及び図９を参照にして説明する。実施例１では図７、図８及び図９に示すように、歯ブラシ２８は歯ブラシ差し込み孔４０１、４０２、４０３、４０４より中空ドーナッツ形歯ブラシ立て１に差し込んで収納保管して使用するものである。歯ブラシ支持棒１６１、１７１、１５の列と歯ブラシ支持棒１８１、１８１、１８１の列との間、歯ブラシ支持棒１８１、１８１、１８１の列と歯ブラシ支持棒１９１、１９１、１９１の列との間、歯ブラシ支持棒１６２、１７２、１５の列と歯ブラシ支持棒１８２、１８２、１８２の列との間、歯ブラシ支持棒１８２、１８２、１８２の列と歯ブラシ支持棒１９２、１９２、１９２の列との間が歯ブラシ柄部配設部となり、歯ブラシ２８の柄部が配設される。隣り合う歯ブラシ２８、２８間には横方向の空気の流れを遮断する板状仕切が存在せず、また、側壁片１２と側壁片２１との接合部以外に形成された開口部５の通気孔からの空気の出入により、中空ドーナッツ形歯ブラシ立て１の中空部の空気の流通性は極めて高い。特に、横方向の空気の流通性は極めて良好である。そのため、歯ブラシ柄部配設部に配設されている歯ブラシ２８の柄部が蒸れず、発黴しにくいという効果がある。歯ブラシ２８の柄部の背面側は歯ブラシ固定棒２５の先端の平坦な面が、正面側は歯ブラシ固定棒２６の先端の平坦な面が配設され、歯ブラシ２８は正面方や背面方に移動したり傾斜することなく、棒状体で区画されて位置に安定的に収納保管される。
凹部２３２、２３３、２３４に凹設され、ケース本体２と蓋体３との組み付けにより形成される排水孔２７は歯ブラシ配設部の下方延長線上に開設されているので、歯ブラシ２８から流下した水が排水孔２７から排水され、排水孔２７は空気の出入作用も有する。中空ドーナッツ形歯ブラシ立て１は空気の出入口が歯ブラシ差し込み孔４０１、４０２、４０３、４０４、排水孔２７、及び開口部５の側壁片１２、２１の配設されていない部分であるため、空気の出入が良好で、しかも内部で空気の流れを妨げるものが存在しないため、歯ブラシ２８の柄部は短時間で乾燥され、歯ブラシ２８の柄部と中空ドーナッツ形歯ブラシ立て１の内部の乾燥状態が良好で黴や菌の温床とはならず、常に乾燥した衛生的な状態を保持することが可能であるという効果がある。
正面を開放したケース本体２に、蓋体３を組み付けて中空ドーナッツ形歯ブラシ立て１を得るため、ケース本体２や蓋体３の外観を意匠的に変化させることが可能であるという効果がある。【００１７】  実施例１では、凸条７１、７２、７３、７４、７５、７６、７７、７８、２２０、２３１、２３２、２３３、２３４、２３５、２３６、２３７を境界とする８個の膨出部を開口部５を中心として放射状に配設された中空ドーナッツ形歯ブラシ立てについて説明したが、本願発明はこれに限定しない。ケース本体や蓋体に凸条を設けないで、ケース本体に蓋体を組み付けて断面が同円形のドーナッツ状を呈するもの等も本願発明に含まれる。
【実施例２】
【００１８】  図１０〜図１９に基いて実施例２について説明する。中空ドーナッツ形歯ブラシ立て２９は耐水性、耐薬品性及び耐腐食性を有する材料、例えば合成樹脂を材料とし、ケース本体３０と蓋体３１との周縁を着脱自在に嵌合することで、上面に歯ブラシ差し込み孔３２１、３２２、３２３、３２４を開設し、正背視の中央に開口部３３を有する全体として中空ドーナッツ形状に形成されている。【００１９】  ケース本体３０について説明する。図１８に示すように、ケース本体３０の中心には、略真円の開口３４を開設している。ケース本体３０は、開口３４の口縁の端面と外周縁の端面が正面方を向き、開口３４の口縁から外周端縁に亘り正面側が窪んだ断面視が円弧状に彎曲されている。ケース本体３０の外周縁にはＵ状切縁を有する切込み溝３５１、３５２、３５３、３５４が設けられている。ケース本体３０の正面側の窪んだ彎曲面には、仕切壁３６１、３６２、３６３、３６４、３６５、３６６が設けられている。仕切壁３６１と仕切壁３６４、仕切壁３６２と仕切壁３６５、仕切壁３６３と仕切壁３６６は正面から視て同一直線上に配設され、仕切壁３６１、３６４と仕切壁３６２、３６５との間、仕切壁３６２、３６５と仕切壁３６３、３６６との間を歯ブラシ柄部配設部としている。仕切壁３６４、３６５、３６６の外端配設位置を含む範囲は、ケース本体３０の外周縁より段差を有して切り欠き、ケース本体３０に蓋体３１を組み付けると排水孔３７を開設するようにしている。３８は、ケース本体３０の耐衝撃性を高めるための補強用のリブである。仕切壁３６２の開口３４側の端部には、開口３４の周縁から延びる側壁片３９が連設されている。仕切壁３６５の開口３４側の端部には、開口３４の周縁から延びる側壁片４０が連設されている。側壁片３９、４０の正面端面は、ケース本体３０の正面端面と同一面上に位置するように形成されている。仕切壁３６２と仕切壁３６５を結ぶ線と開口３４の中心を通り直交する仮想線がケース本体３０の外周縁と交わる位置に、係止突起４１、４１が対設されている。ケース本体３０に設けられた吸盤取付孔４２には吸盤４３が取り付けられ、壁や鏡面等の被取付面に取り付けられる。【００２０】  蓋体３１について説明する。蓋体３１は中央に開口３４と同径の開口４４が開設され、蓋体３１の外周端面と開口４４の口端面が背面方を向く断面円弧状に彎曲されている。ケース本体３０に蓋体３１を組み付けると歯ブラシ差し込み孔３２１、３２２、３２３、３２４を形成するように、蓋体３１の外周縁には切込み溝３５１、３５２、３５３、３５４と同幅で同一間隔にＵ状切縁を有する切込み溝４５１、４５２、４５３、４５４が設けられている。４６は係止突起４１と係合する係止孔が設けられた係合受片である。係合受片４６、４６の横幅方向（周方向）中心間を結ぶ直線と直交する位置であって、排水孔３７の周方向長さを２分する位置の半径内方向に沿って仕切壁４７が設けられている。仕切壁４７の開口４４側端面は側壁片４８が設けられている。側壁片４８は、側壁片４０と同幅に形成され、ケース本体３０に蓋体３１を組み付けると、側壁片４８の背面端面と側壁片４０の正面端面が当接して、開口部３３の側面を形成する。開口４４の口縁のうち側壁片４８と対向する位置には、開口４４の口縁を背面方に延設した側壁片４９を有する。ケース本体３０に蓋体３１を組み付けると、側壁片３９の正面端面と側壁片４９の背面端面が当接して、開口部３３の側面を形成する。５０は補強用のリブである。【００２１】  側壁片３９の正面端面と側壁片４９の背面端面を当接し、側壁片４０の正面端面と側壁片４８の背面端面を当接し、係止突起４１を係合受片４６の係止孔に係止させて、ケース本体３０に蓋体３１を組み付ける。切込み溝３５１、３５２、３５３、３５４と対応する切込み溝３５１、３５２、３５３、３５４とで歯ブラシ差し込み孔３２１、３２２、３２３、３２４を形成する。
各歯ブラシ差し込み孔３２１、３２２、３２３、３２４より差し込まれた夫々の歯ブラシ２８は、仕切壁３６１、３６２、３６３、３６４、３６５、３６６により互いに当接することはないので、清潔が保持される。仕切壁３６１、３６２、３６３、３６４、３６５、３６６は、中空ドーナッツ形歯ブラシ立て２９の中空部の正背方向中途位置に亘り設けられている。そのため、歯ブラシ差し込み孔３２１、３２２、３２３、３２４、開口部３３の通気孔、及び排水孔３７から中空部に入り込んだ空気は、仕切壁３６１、３６２、３６３、３６４、３６６と蓋体３１の内側面との隙間、及び仕切壁３６５の段差と仕切壁４７とで形成される開口を流通し、歯ブラシ差し込み孔３２１、３２２、３２３、３２４、開口部３３の通気孔、及び排水孔３７から出て行き、中空部に配設された歯ブラシ２８の柄部が短時間で乾燥し、発黴しにくいという作用効果がある。
歯ブラシ柄部を収納配設する中空部はケース本体３０の正面端面と略同一面位置まで設けられた仕切り壁３６１、３６２、３６３、３６４、３６５、３６６で分割され仕切り壁３６１、３６２、３６３、３６４、３６５、３６６で区画された部分が歯ブラシ柄部配設部となるように形成され、且つ蓋体３１には仕切り壁を設けていないので、蓋体３１部分を空気が流れ、歯ブラシ柄部が他の歯ブラシ柄部と当接することなく離隔した衛生的な状態で乾燥し、また、歯ブラシの出し入れがスムーズに行うことができるという効果がある。【００２２】  実施例１、２では、開口部５、３３が正背視が真円のものについて説明したが、開口部５、３３は真円に限定せず、多角形その他の形状であってもよい。正背視の中央に側面に通気孔を有する開口部を有していればよい。つまり、中空ドーナッツ形歯ブラシ立て１、２９は、正背視が円形に限定せず、四角形を含む多角形等様々な形状も本願発明は包含する。又、中央に設けた開口部５、３３の正背視形状は、真円に限定しない。円形以外の多角形状等も本願発明は包含する。
【符号の説明】
【００２３】  １、２９  中空ドーナッツ形歯ブラシ立て
２、３０  ケース本体
３、３１  蓋体
３６１、３６２、３６３、３６４、３６５、３６６  仕切壁
３２１、３２２、３２３、３２４、４０１、４０２、４０３、４０４  歯ブラシ差し込み孔
５、３３  開口部
１５、１６１、１６２、１７１、１７２、１８１、１８２、１９１、１９２  歯ブラシ支持棒
２５、２６  歯ブラシ固定棒
２７、３７  排水孔
２８  歯ブラシ
【図１】
2015205184.tif 000003
【図２】
2015205184.tif 000004
【図３】
2015205184.tif 000005
【図４】
2015205184.tif 000006
【図５】
2015205184.tif 000007
【図６】
2015205184.tif 000008
【図７】
2015205184.tif 000009
【図８】
2015205184.tif 000010
【図９】
2015205184.tif 000011
【図１０】
2015205184.tif 000012
【図１１】
2015205184.tif 000013
【図１２】
2015205184.tif 000014
【図１３】
2015205184.tif 000015
【図１４】
2015205184.tif 000016
【図１５】
2015205184.tif 000017
【図１６】
2015205184.tif 000018
【図１７】
2015205184.tif 000019
【図１８】
2015205184.tif 000020
【図１９】
2015205184.tif 000021